(57)【特許請求の範囲】
【請求項１】
取り付け対象面に取り付ける台座と、保持対象の機器を保持する保持部を備えた保持部材とを備え、前記台座の表側には半球状の第１凹部を設け、前記保持部材の裏側には半球状の第１凸部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凹部を設け、
前記第２凹部に嵌まり得る第２凸部が設けられた固定部材をさらに備え、
前記第１凸部の表面には凸状の第１リブを設けるとともに、前記第１凹部の内壁には前記第１リブが嵌まり得る複数の第１溝を設け、
前記第２凹部の内壁には、前記第１リブの向きと異なる向きの複数の第２溝を設けるとともに、前記第２凸部の表面には前記第２溝に嵌まり得る凸状の第２リブを設け、
前記第２凹部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成したことを特徴とする機器保持装置。
【請求項２】
取り付け対象面に取り付ける台座と、保持対象の機器を保持する保持部を備えた保持部材とを備え、前記台座の表側には半球状の第１凹部を設け、前記保持部材の裏側には半球状の第１凸部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凹部を設け、
前記第２凹部に嵌まり得る第２凸部が設けられた固定部材をさらに備え、
前記第１凹部の内壁には凸状の第１リブを設けるとともに、前記第１凸部の表面には前記第１リブが嵌まり得る複数の第１溝を設け、
前記第２凹部の内壁には、前記第１リブの向きと異なる向きの凸状の第２リブを設けるとともに、前記第２凸部の表面には前記第２リブが嵌まり得る複数の第２溝を設け、
前記第２凹部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成したことを特徴とする機器保持装置。
【請求項３】
取り付け対象面に取り付ける台座と、保持対象の機器を保持する保持部を備えた保持部材とを備え、前記台座の表側には半球状の第１凸部を設け、前記保持部材の裏側には半球状の第１凹部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凸部を設け、
前記第２凸部を嵌め得る第２凹部が設けられた固定部材をさらに備え、
前記第１凸部の表面には凸状の第１リブを設けるとともに、前記第１凹部の内壁には前記第１リブが嵌まり得る複数の第１溝を設け、
前記第２凹部の内壁には、前記第１リブの向きと異なる向きの複数の第２溝を設けるとともに、前記第２凸部の表面には前記第２溝に嵌まり得る凸状の第２リブを設け、
前記第２凸部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成したことを特徴とする機器保持装置。
【請求項４】
取り付け対象面に取り付ける台座と、保持対象の機器を保持する保持部を備えた保持部材とを備え、前記台座の表側には半球状の第１凸部を設け、前記保持部材の裏側には半球状の第１凹部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凸部を設け、
前記第２凸部を嵌め得る第２凹部が設けられた固定部材をさらに備え、
前記第１凹部の内壁には凸状の第１リブを設けるとともに、前記第１凸部の表面には前記第１リブが嵌まり得る複数の第１溝を設け、
前記第２凹部の内壁には、前記第１リブの向きと異なる向きの凸状の第２リブを設けるとともに、前記第２凸部の表面には前記第２リブが嵌まり得る複数の第２溝を設け、
前記第２凸部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成したことを特徴とする機器保持装置。
【発明の詳細な説明】
【技術分野】
【０００１】
本発明は、無線機等のマイクや携帯電話機等の機器を保持するための機器保持装置に関するものである。
【背景技術】
【０００２】
無線機等のマイク等の機器を保持するための機器保持装置は、台座を介して車内や室内の壁等の取り付け対象面に取り付けて使用される。
前記機器保持装置は、
取り付け対象面に取り付ける台座と、保持対象の機器を保持する保持部を備えた保持部材とを備え、前記台座には半球状の凹部を設け、前記保持部材には半球状の凸部を設け、前記台座の凹部に前記保持部材の凸部を所望の角度で嵌め込んだ状態で、ネジで前記台座と前記保持部材を締結することによって、前記保持部材を所望の角度の状態で固定するように構成されている。
そして、前記保持部材の保持部に、マイク等の機器を保持させることができるように構成されている。
【０００３】
特許文献１には、半球状の凸部が設けられた台座と、半球状の凹部が設けられた保持部材とを備えて、前記保持部材を所望の角度で嵌め込んで、前記凸部の裏側に配した固定部材と前記保持部材とで前記凸部を挟み込んだ状態にしてネジで締結する構造が記載されている。
【先行技術文献】
【特許文献】
【０００４】
【特許文献１】米国特許第6,397,046号明細書
【発明の概要】
【発明が解決しようとする課題】
【０００５】
しかし、特許文献１に記載の構造は、単にネジで締結するだけの構造であるため、振動等によって、前記保持部材の角度が所望の角度からずれてしまうという問題があった。
【課題を解決するための手段】
【０００６】
本発明の請求項１にかかる機器保持装置は、
取り付け対象面に取り付ける台座と、保持対象の機器を保持する保持部を備えた保持部材とを備え、前記台座の表側には半球状の第１凹部を設け、前記保持部材の裏側には半球状の第１凸部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凹部を設け、
前記第２凹部に嵌まり得る第２凸部が設けられた固定部材をさらに備え、
前記第１凸部の表面には凸状の第１リブを設けるとともに、前記第１凹部の内壁には前記第１リブが嵌まり得る複数の第１溝を設け、
前記第２凹部の内壁には、前記第１リブの向きと異なる向きの複数の第２溝を設けるとともに、前記第２凸部の表面には前記第２溝に嵌まり得る凸状の第２リブを設け、
前記第２凹部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成した。
【０００７】
請求項２では、以下のように、凹部にリブを設け、凸部に溝を設ける構造とした。
すなわち、請求項２では、
取り付け対象面に取り付ける台座と、保持対象の機器を保持する保持部を備えた保持部材とを備え、前記台座の表側には半球状の第１凹部を設け、前記保持部材の裏側には半球状の第１凸部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凹部を設け、
前記第２凹部に嵌まり得る第２凸部が設けられた固定部材をさらに備え、
前記第１凹部の内壁には凸状の第１リブを設けるとともに、前記第１凸部の表面には前記第１リブが嵌まり得る複数の第１溝を設け、
前記第２凹部の内壁には、前記第１リブの向きと異なる向きの凸状の第２リブを設けるとともに、前記第２凸部の表面には前記第２リブが嵌まり得る複数の第２溝を設け、
前記第２凹部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成した。
【０００８】
請求項３では、以下のように、台座に凸部を設け、保持部材の裏側に凹部を設ける構造とした。
すなわち、請求項３では、
取り付け対象面に取り付ける台座と、保持対象の機器を保持する保持部を備えた保持部材とを備え、前記台座の表側には半球状の第１凸部を設け、前記保持部材の裏側には半球状の第１凹部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凸部を設け、
前記第２凸部を嵌め得る第２凹部が設けられた固定部材をさらに備え、
前記第１凸部の表面には凸状の第１リブを設けるとともに、前記第１凹部の内壁には前記第１リブが嵌まり得る複数の第１溝を設け、
前記第２凹部の内壁には、前記第１リブの向きと異なる向きの複数の第２溝を設けるとともに、前記第２凸部の表面には前記第２溝に嵌まり得る凸状の第２リブを設け、
前記第２凸部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成した。
【０００９】
請求項４では、以下のように、台座に凸部を設け、保持部材の裏側に凹部を設ける構造とし、さらに、凹部にリブを設け、凸部に溝を設ける構造とした。
すなわち、請求項４では、
取り付け対象面に取り付ける台座と、保持対象の機器を保持する保持部を備えた保持部材とを備え、前記台座の表側には半球状の第１凸部を設け、前記保持部材の裏側には半球状の第１凹部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凸部を設け、
前記第２凸部を嵌め得る第２凹部が設けられた固定部材をさらに備え、
前記第１凹部の内壁には凸状の第１リブを設けるとともに、前記第１凸部の表面には前記第１リブが嵌まり得る複数の第１溝を設け、
前記第２凹部の内壁には、前記第１リブの向きと異なる向きの凸状の第２リブを設けるとともに、前記第２凸部の表面には前記第２リブが嵌まり得る複数の第２溝を設け、
前記第２凸部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成した。
【発明の効果】
【００１０】
本発明の請求項１にかかる機器保持装置によれば、
取り付け対象面に取り付ける台座と、保持対象の機器を保持する保持部を備えた保持部材とを備え、前記台座の表側には半球状の第１凹部を設け、前記保持部材の裏側には半球状の第１凸部を設け、前記第１凹部に前記第１凸部を嵌め込んだ状態で、ネジで前記台座と前記保持部材を締結することによって、前記保持部材を前記台座に固定するように構成された機器保持装置において、
前記保持部材の表側に半球状の第２凹部を設け、
前記第２凹部に嵌まり得る第２凸部が設けられた固定部材をさらに備え、
前記第１凸部の表面には凸状の第１リブを設けるとともに、前記第１凹部の内壁には前記第１リブが嵌まり得る複数の第１溝を設け、
前記第２凹部の内壁には、前記第１リブの向きと異なる向きの複数の第２溝を設けるとともに、前記第２凸部の表面には前記第２溝に嵌まり得る凸状の第２リブを設け、
前記第２凹部には、前記ネジの軸の外径より十分大きな内径の孔を設けることによって、
前記第１リブを前記第１溝の何れか１つの溝に嵌め、
前記第２リブを前記第２溝の何れか１つの溝に嵌め、
前記台座と前記固定部材との間に前記保持部材を挟み込んだ状態で、前記ネジで締結することによって、前記台座と前記固定部材とで前記保持部材を挟み込んだ状態で前記保持部材を固定できるように構成したので、
前記第１リブを前記第１溝のどの溝に嵌めるかという選択肢、前記第２リブを前記第２溝のどの溝に嵌めるかという選択肢を組み合わせることによって、前記保持部材を種々の異なる向きに取り付けることができる。
したがって、前記保持部材に保持させる機器を、使用者の好みに合わせた向きに保持させることができ、向きの変更も容易にできる。
また、前記第２凹部には前記ネジの軸の外径より十分大きな内径の孔を設けたので、前記ネジを緩めた状態では、前記台座に対する前記保持部材の取り付け向きを変更することが容易にでき、所望の取り付け向きに変更した後に、前記ネジで締結することによって前記保持部材を前記所望の取り付け向きに固定できる。
また、取り付け対象面が種々の向きに傾斜している平面の場合でも、前記保持部材の向きを使用者の好みに合わせた向きにすることができる。
また、前記ネジを締結した状態では、前記第１リブと第１溝の嵌合、および前記第２リブと第２溝の嵌合によって相対的な位置が固定されるので、取り付けた位置が振動等でずれることを防止できる。
請求項２、３、４においても、請求項１同様に、
前記第１リブを前記第１溝のどの溝に嵌めるかという選択肢、前記第２リブを前記第２溝のどの溝に嵌めるかという選択肢を組み合わせることによって、前記保持部材を種々の異なる向きに取り付けることができる。
したがって、前記保持部材に保持させる機器を、使用者の好みに合わせた向きに保持させることができ、向きの変更も容易にできる。
また、取り付け対象面が種々の向きに傾斜している平面の場合でも、前記保持部材の向きを使用者の好みに合わせた向きにすることができる。
【図面の簡単な説明】
【００１１】
【図１】本発明にかかる機器保持装置の斜視図である。
【図２】前記機器保持装置を表側から見た分解斜視図である。
【図３】前記機器保持装置を裏側から見た分解斜視図を示している。
【図４】前記機器保持装置の台座の表側と、保持部材の裏側の構造を説明するために、異なった向きで示した斜視図である。
【図５】前記機器保持装置の保持部材の表側と、固定部材の裏側の構造を説明するために、異なった向きで示した斜視図である。
【図６】前記機器保持装置を説明するための要部の側面断面図である。
【図７】前記機器保持装置を説明するための要部の平面断面図である。
【図８】実施例２にかかる機器保持装置の要部の一部の断面図である。
【図９】実施例３にかかる機器保持装置の要部の断面図である。
【発明を実施するための形態】
【００１２】
本発明にかかる機器保持装置を実施するための形態を、図面を参照して説明する。
図１の斜視図に示したように、本発明にかかる機器保持装置１は、
車内または室内の壁面等の取り付け対象面に、この機器保持装置を取り付けるための台座２と、無線機のマイク等の保持対象の機器を保持する保持部３１を備えた保持部材３と、前記保持部材３を、前記台座２との間に挟んだ状態で固定するための固定部材４とを備えている。前記固定部材４は、前記保持部材３に形成された第２凹部８に嵌まり込んだ状態で固定されている。
図１では、前記台座２、保持部材３、および固定部材４を組み立てて、ネジ５で締結した状態の斜視図を示している。
前記保持部材３は、保持部３１の両脇に、マイク等の機器を挟んだ状態で保持するための一対の保持片３２を備えており、保持部３１の下部には、保持した機器のコードを通すための切欠き部３３が形成されている。
【実施例１】
【００１３】
以下においては、実施例１にかかる機器保持装置を図２〜７を参照して説明する。
図２、４、６に示したように、
前記台座２の表側には半球状の第１凹部６が設けられ、前記第１凹部６の底の中央には、締結用のネジ５をねじ込むネジ孔６１が、前記第１凹部６の中心軸（第１軸）６２に沿って設けられている。また、前記台座２には、この台座２を取り付け対象面に固定するためのネジを通す小孔６３が設けられている。
また、前記第１凹部６の内壁には少なくとも３つの第１溝６４，６５，６６が設けられている。
前記複数の第１溝のうちの中央の溝は、前記第１軸６２を含んだ第１平面Ｐ１（図６参照。）に沿ったほぼ半円弧状の第１中央溝６５である。前記第１平面Ｐ１は、前記台座２を垂直面に取り付けた場合には水平となる面である。前記第１平面Ｐ１は、図上のＸ−Ｙ平面に一致するものとする。
他の２つの溝は、図上、前記第１中央溝６５の上側に設けられた第１上溝６４と、下側に設けられた第１下溝６６である。
前記第１上溝６４と前記第１下溝６６は、ぞれぞれ前記第１平面Ｐ１に斜めに交差する面（第１交差面）Ｐ１１，Ｐ１２（図６参照。）に沿ったほぼ半円弧状の溝である。これらの３つの第１溝は、前記第１凹部６の縁６７の部分ではまだ交わらず、前記縁６７から若干離れた位置で、前記溝の延長線が交わるように傾斜させて設けられている。
【００１４】
図３、４、６、７に示したように、
前記保持部材３の裏側には半球状の第１凸部７が設けられ、この第１凸部７は、前記第１凹部６に嵌まり得る大きさと形状になっている。前記第１凸部７の中央の頂きを通る中心軸（第２軸）７１を含む周囲には、前記ネジ５の径より十分に大きな内径の中央孔７２が設けられている。
前記第１凸部７の表面には凸状の第１リブ７３が設けられており、この第１リブ７３は、前記第２軸７１を通る第２平面Ｐ２（図６参照。）に沿ったリブであり、前記第１凸部７の表面に沿って横方向に延び、半円弧状に形成されている。
なお、前記保持部材３は、表側から裏側に向けて突出する半球形状部を備えており、当該半球形状部の裏側が、前記第１凸部７をなし、当該半球形状部の表側が前記第１凹部をなしている。
前記第２平面Ｐ２は、前記第１平面Ｐ１が水平になるように前記台座２を取り付け、前記第１リブ７３を前記第１溝の第１中央溝６５に嵌め込んだ場合には水平となる面である。前記第２平面Ｐ２は、図６の（Ａ）の状態では、図上のＸ−Ｙ平面に一致する。
【００１５】
図２、５、６、７に示したように、
前記保持部材３の表側には半球状の第２凹部８が設けられ、前記第２凹部８の内壁には少なくとも３つの第２溝８１、８２、８３が設けられている。
前記複数の第２溝のうちの中央の溝８２は、前記第１リブ７３を含む前記第２平面Ｐ２に直交する第３平面Ｐ３（図７参照。）に沿った、ほぼ半円弧状の第２中央溝８２である。このようにして、前記第２溝は、前記第１リブの向きと異なる向きに設けられている。
なお、前記第３平面Ｐ３は、前記第２軸７１で、前記第２平面Ｐ２と直交している。前記第３平面Ｐ３は、図７の（Ａ）の状態では、図上のＸ−Ｚ平面に一致する。
他の２つの第２溝は、図上、前記第２中央溝８２の右側に設けられた第２右溝８１と、左側に設けられた第２左溝８３である。
前記第２右溝８１と前記第２左溝８３は、ぞれぞれ前記第３平面Ｐ３に斜めに交差する面（第２交差面）Ｐ３１、Ｐ３２（図７参照。）に沿ったほぼ半円弧状の溝である。これらの３つの第２溝８１、８２、８３は、前記第２凹部８の縁８４の部分で交わっている。
【００１６】
図２、３、５、６、７に示したように、
前記固定部材４の裏側には半球状の第２凸部９が設けられており、この第２凸部９は、前記第２凹部８に嵌まり得る大きさと形状になっている。前記第２凸部９の中央の頂きを通る中心軸（第３軸）９１に沿って、前記ネジ５を挿通するための小径孔９２が設けられている。
前記第２凸部９の表面には凸状の第２リブ９３が設けられており、この第２リブ９３は、前記第３軸９１を通る第４平面Ｐ４（図７参照。）に沿ったリブであり、前記第２凸部９の表面に沿って縦方向に延び、半円弧状に形成されている。
前記第４平面Ｐ４は、前記第１平面Ｐ１が水平になるように前記台座２を取り付けた場合には垂直となる面である。
【００１７】
なお、前記第１凹部６の球面の半径は、前記第１凸部７の球面の半径とほぼ同じでよいが、保持部材３の取り付け角度の変更を容易にするために、前記第１凹部６の球面の半径の方が僅かに大きく設定されている。同様に、前記第２凹部８の球面の半径は、前記第２凸部９の球面の半径より僅かに大きく設定されている。
また、前記保持部材３の取り付け角度を変更しやすいように、前記第１凹部６の深さは球面の半径より浅くなっており、また、前記保持部材３の取り付け角度を変更したときに固定部材４の一部が保持部３１に突出しないように、前記第２凸部９の高さは球面の半径より低くなっている。
【００１８】
以上のように構成された機器保持装置を、例えば車内のダッシュボード等の取り付け対象面に取り付ける場合について、図６、７を参照して以下に説明する。
まず、前記台座２を取り付け対象面に固定する。標準的な固定形態としては、前記２つの小孔６３が縦に並ぶような位置に固定する形態を想定して説明する。このような位置にセットして前記小孔６３にネジを差し込んで、取り付け対象面にネジ止めする。
なお、以下においては、図６に示したように、図面上の右方向をＸ軸方向、図面を表から裏へ貫く方向をＹ軸方向、図面上の上方向をＺ軸方向、図面上の下方向を−Ｚ軸方向として説明する。
【００１９】
次に、前記保持部材３を、前記台座２に仮止めする。このとき、前記台座２の第１凹部６に、前記保持部材３の前記第１凸部７を嵌め込む。このとき、前記第１凸部７の第１リブ７３を、前記第１凹部６の３つの第１溝のどの溝に嵌めるかによって、前記保持部材３の図上の上下方向への傾きを３つの異なる角度に設定することを、側面断面図を示した図６を参照して説明する。
【００２０】
図６の（Ａ）に示したように、
前記第１リブ７３を、前記第１中央溝６５に嵌めた状態では、前記台座２の前記第１軸６２の方向と、前記保持部材３の前記第２軸７１の方向とは一致する。
この状態では、前記第１軸６２の方向をＸ軸方向とすると、前記保持部材３の前記第２軸７１の方向もＸ軸方向に一致する。この状態は標準的な固定状態の場合には、前記保持部材３が正面を向いた状態となる。
【００２１】
図６の（Ｂ）に示したように、
前記第１リブ７３を、前記第１上溝６４に嵌めた状態では、前記台座２の前記第１軸６２の方向と、前記保持部材３の前記第２軸７１の方向とは一致しない。このとき、前記第２平面Ｐ２は、前記第１交差面Ｐ１１と平行もしくは一致する。なお、この状態で、前記保持部材３に設けられた前記中央孔７２に、前記ネジ５の軸が当たらないように、前記中央孔７２の内径は十分大きく設けられている。
この状態では、前記第１軸６２の方向をＸ軸方向とすると、前記保持部材３の前記第２軸７１の方向はＸ軸方向に対して、−Ｚ軸方向に傾斜角αだけ傾いた状態となる。この状態は標準的な固定状態の場合には、前記保持部材３が正面から若干下向きに傾いた状態となる。
【００２２】
図６の（Ｃ）に示したように、
前記第１リブ７３を、前記第１した溝６６に嵌めた状態では、前記台座２の前記第１軸６２の方向と、前記保持部材３の前記第２軸７１の方向とは一致しない。このとき、前記第２平面Ｐ２は、前記第１交差面Ｐ１２と平行もしくは一致する。なお、この状態で、前記保持部材３に設けられた前記中央孔７２に、前記ネジ５の軸が当たらないように、前記中央孔７２の内径は十分大きく設けられている。
この状態では、前記第１軸６２の方向をＸ軸方向とすると、前記保持部材３の前記第２軸７１の方向はＸ軸方向に対して、Ｚ軸方向に傾斜角αだけ傾いた状態となる。この状態は標準的な固定状態の場合には、前記保持部材３が正面から若干上向きに傾いた状態となる。
【００２３】
以上のように、３通りの向きの何れか１つの向きに仮止めした後、前記固定部材４を、前記第２凹部８に嵌める。このとき、前記固定部材４の第２リブ９３が、前記第２溝のうちの何れか１つに嵌まるように取り付けて、前記ネジ５を用いて、前記保持部材３を前記台座２と前記固定部材４の間に挟んだ状態で締結する。このとき、前記保持部材３に設けられた前記中央孔７２の内径は十分大きいので、前記ネジ５と干渉することはない。
図６の（Ａ）、（Ｂ）、（Ｃ）では、前記固定部材４の第２リブ９３が、前記第２溝のうちの中央の溝である前記第２中央溝８２に嵌まるような状態を図示している。
【００２４】
以上のようにして、前記保持部材３が正面を向いた状態、上向きの状態、下向きの状態の３通りの状態に取り付けることができることを説明したが、以下においては、前記固定部材４の第２リブ９３を、前記第２中央溝８２ではなく、他の第２溝に嵌めて、左右に傾けて取り付ける場合について、平面断面図を示した図７を参照して説明する。
なお、以下においては、図７に示したように、図面上の右方向をＸ軸方向、図面上の上方向をＹ軸方向、図面を裏から表へ貫く方向をＺ軸方向、図面上の下方向を−Ｙ軸方向として説明する。
【００２５】
図７の（Ａ）に示したように、
前記固定部材４の前記第２リブ９３を、前記保持部材３の前記第２中央溝８２に嵌めた状態では、前記台座２の前記第１軸６２の方向と、前記保持部材３の前記第２軸７１の方向とは一致する。
この状態では、前記第１軸６２の方向をＸ軸方向とすると、前記保持部材３の前記第２軸７１の方向も前記Ｘ軸方向に一致する。この状態は標準的な固定状態の場合には、前記保持部材３が正面を向いた状態となる。
【００２６】
図７の（Ｂ）に示したように、
前記第１リブ７３を、前記第２右溝８１に嵌めた状態では、前記台座２の前記第１軸６２の方向と、前記保持部材３の前記第２軸７１の方向とは一致しない。このとき、前記第４平面Ｐ４は、前記第２交差面Ｐ３１と平行もしくは一致する。なお、この状態で、前記保持部材３に設けられた前記中央孔７２に、前記ネジ５の軸が当たらないように、前記中央孔７２の内径は十分大きく設けられている。
この状態では、前記第１軸６２の方向をＸ軸方向とすると、前記保持部材３の前記第２軸７１の方向はＹ軸方向に傾斜角βだけ傾いた状態となる。この状態は標準的な固定状態の場合には、前記保持部材３が正面から若干右向きに首振りした状態となる。
【００２７】
図７の（Ｃ）に示したように、
前記第１リブ７３を、前記第１左溝８３に嵌めた状態では、前記台座２の前記第１軸６２の方向と、前記保持部材３の前記第２軸７１の方向とは一致しない。このとき、前記第４平面Ｐ４は、前記第２交差面Ｐ３２と平行もしくは一致する。なお、この状態で、前記保持部材３に設けられた前記中央孔７２に、前記ネジ５の軸が当たらないように、前記中央孔７２の内径は十分大きく設けられている。
この状態では、前記第１軸６２の方向をＸ軸方向とすると、前記保持部材３の前記第２軸７１の方向は−Ｙ軸方向に傾斜角βだけ傾いた状態となる。この状態は標準的な固定状態の場合には、前記保持部材３が正面から若干左向きに首振りした状態となる。
【００２８】
以上のように、上下方向の３通りの方向と、左右方向の３通りの方向との組み合わせにより、合計９通りの組み合わせが可能であるので、それらの組み合わせの内の何れか１つの状態に仮止めした後、前記ネジ５を用いて、前記保持部材３を前記台座２と前記固定部材４の間に挟んだ状態で締結する。なお、前記保持部材３に設けられた前記中央孔７２の内径は十分大きく設けられているので、前記ネジ５の軸が前記中央孔７２に当たることは避けられている。
以上のようにして、前記保持部材３は前記台座２を介して、取り付け対象面に固定されるのである。
保持部材３の取り付け向きを変更する場合には、前記ネジ５を緩めた状態で、前記保持部材３の向きを調整し、９通りの向きの内の何れかの向きに調整した状態で、前記ネジ５を用いて、再び締結すればよい。
保持部材３に設けた中央孔７２の内径を、ネジ５の軸の外径よりも十分大きくしたので、台座２に対する保持部材３の取り付け向きを変更した場合であっても、ネジ５を、中央孔７２を介して台座２のネジ孔６１に締結することができる。
【００２９】
以上の説明では、取り付け対象面が垂直面である場合を想定した標準的な固定状態について説明したが、本願発明によれば、前記台座２に対して前記保持部材３の向きを上下左右の９通りの向きに変更できるので、取り付け対象面が垂直面でなく、傾斜している場合でも、前記保持部材３の向きを、９通りの向きの内の何れか１つの所望の向きに変更して固定することができる。
したがって、使用者が最も使いやすい向きに前記保持部材３を調整することができるので、車内等においてマイク等の機器を使いやすい向きに保持することが可能となる。
【００３０】
以上の実施例１においては、前記台座２の前記第１凹部に設ける中央の第１中央溝を、図２上のＸ−Ｙ平面に沿って設けたが、図２上のＸ−Ｚ平面に沿って設けてもよい。この場合には、前記保持部材３の前記第１凸部に設ける第１リブは、図２上のＸ−Ｚ平面に沿って設け、前記保持部材３の前記第２凹部に設ける第２中央溝は図２上のＸ−Ｙ平面に沿って設ける。
このように、前記保持部材３に設ける第１リブが含まれる平面と、第２中央溝が含まれる平面とは、互いに直交する平面とすることが好ましいが、直交することに代えて交差する平面とすることもできる。
なお、前記第１溝も、前記第２溝も、複数であればよく３つには限定されない。
【実施例２】
【００３１】
以上の実施例１では、第１、第２凹部の内壁に複数の溝を設けたが、要部の一部のみを図８に示した実施例２（請求項２に対応）のように、第１、第２凹部の内壁に１つの凸状のリブＡを設け、第１、第２凸部の表面に複数の溝Ｂを設けてもよい。
【実施例３】
【００３２】
以上の実施例１、２では、台座と、保持部材の表側に凹部を設けたが、要部のみを図９に示した実施例３（請求項３、４に対応）のように、台座２Ｃに第１凸部６Ｃを設け、保持部材３Ｃの表側に第２凸部８Ｃを設け、保持部材３Ｃの裏側に第１凹部７Ｃを設け、固定部材４Ｃの裏側に第２凹部９Ｃを設けて、ネジ５Ｃで締結してもよい。
なお、実施例３においては、実施例１のように、第１、第２凹部の内壁に複数の溝を設けても良く、実施例２のように、第１、第２の凹部の内壁に１つの凸状のリブを設け、第１、第２凸部の表面に複数の溝を設けてもよい。図９においては、リブと溝の図示は省略した。
【産業上の利用可能性】
【００３３】
本発明にかかる機器保持装置は、マイク等の機器の保持に限らず、種々のものを保持するための保持装置にも適用できる。
【符号の説明】
【００３４】
１  機器保持装置
２  台座
３  保持部材
４  固定部材
５  ネジ
６  第１凹部
６４、６５、６６  第１溝
７  第１凸部
７３  第１リブ
８  第２凹部
８１、８２、８３  第２溝
９  第２凸部
９３  第２リブ
【図１】
0005440522.tif 000002
【図２】
0005440522.tif 000003
【図３】
0005440522.tif 000004
【図４】
0005440522.tif 000005
【図５】
0005440522.tif 000006
【図６】
0005440522.tif 000007
【図７】
0005440522.tif 000008
【図８】
0005440522.tif 000009
【図９】
0005440522.tif 000010